【手続補正書】
【提出日】平成17年12月6日(2005.12.6)
【手続補正１】
【補正対象書類名】明細書
【補正対象項目名】発明の名称
【補正方法】変更
【補正の内容】
【発明の名称】ホログラム再生装置および方法
【手続補正２】
【補正対象書類名】明細書
【補正対象項目名】特許請求の範囲
【補正方法】変更
【補正の内容】
【特許請求の範囲】
【請求項１】  電磁波照射により光学特性が変化する表示面を提供する物質と、この物質に電磁波を照射してホログラム再生に必要な干渉縞を書き込む電磁波照射手段と、前記物質に書き込まれた干渉縞に読出し光を照射してホログラム再生を行なう読出し光照射手段と、を備えたホログラム再生装置において、
前記物質はハロゲン化アルカリもしくはハロゲン化アルカリ土類からなることを特徴とするホログラム再生装置。
【請求項２】  前記物質に書き込まれた干渉縞を消去する消去手段を有することを特徴とする請求項１に記載のホログラム再生装置。
【請求項３】  前記消去手段は、光、電磁波、または熱を作用させて前記消去を行なうものであることを特徴とする請求項２に記載のホログラム再生装置。
【請求項４】  前記読出し光照射手段はＲ、Ｇ、Ｂの３色の波長の読出し光を照射するものであり、前記電磁波照射手段は前記３色の読出し光のそれぞれに対応した分光吸収の変化および／あるいは干渉縞ピッチによる前記干渉縞を書き込むものであり、これにより、３原色のホログラム画像の同時再生が行なわれることを特徴とする請求項１乃至３のいずれか１項に記載のホログラム再生装置。
【請求項５】  前記表示面の電磁波照射側の表面に導電性処理を施したことを特徴とする請求項１乃至４のいずれか１項に記載のホログラム再生装置。
【請求項６】  前記読出し光の照射が前記表示面の電磁波照射側から行なわれることを特徴とする請求項１乃至５のいずれか１項に記載のホログラム再生装置。
【請求項７】  前記読出し光の照射が前記表示面の電磁波照射側とは反対側から行なわれることを特徴とする請求項１乃至５のいずれか１項に記載のホログラム再生装置。
【請求項８】  前記干渉縞の書き込みおよびホログラムの再生を所定の周期で連続的に行なうことを特徴とする請求項１乃至７のいずれか１項に記載のホログラム再生装置。
【請求項９】  ハロゲン化アルカリもしくはハロゲン化アルカリ土類からなり表示面を提供する物質を用意し、この物質にホログラム再生に必要な干渉縞を書き込み、前記物質に書き込まれた干渉縞に読出し光を照射してホログラム再生を行なうことを特徴とするホログラム再生方法。
【手続補正３】
【補正対象書類名】明細書
【補正対象項目名】０００１
【補正方法】変更
【補正の内容】
【０００１】
【発明の属する技術分野】
本発明は３次元（以下３Ｄという）立体テレビジョンとして用いることができるホログラム再生装置および方法に関する。さらに詳しくは、本発明は、ホログラムの原理に基づき、画質劣化の原因となるマスタを用いず、伝送可能な画像を、連続的に再生し、さらにはカラー表示のために必要な３原色光（一般には赤、緑、青の波長の光）に対して干渉条件を満足するような分光特性および／あるいは３つの干渉縞のピッチに変調することによりカラー化にも対応できるようにしたホログラム再生装置および方法に関する。
【手続補正４】
【補正対象書類名】明細書
【補正対象項目名】００１３
【補正方法】変更
【補正の内容】
【００１３】
本発明の目的は、このような従来技術の問題点に鑑み、ホログラム再生装置および方法において、電子線により可視領域の光学分光特性、特に吸収率・透過率・反射率・屈折率が変化し、光学特性の変化が比較的安定で電子線照射後の寿命が長く、光学特性の変化が可逆的な物質により表示面を形成し、これを用いてホログラムを連続再生できるようにすることにある。すなわち、表示面に画素形成のための微細加工を施さずに面内均一な表示面に電子線走査を照射することによって、一定周期でホログラム再生に適した干渉縞を連続的に表示し、もって立体テレビジョンとして使用することができるホログラム再生装置および方法を提供することにある。
【手続補正５】
【補正対象書類名】明細書
【補正対象項目名】００１５
【補正方法】変更
【補正の内容】
【００１５】
すなわち本発明のホログラム再生装置は、図１に示すように、電磁波照射により光学特性が変化する表示面１を提供する物質と、この物質に電磁波２を照射してホログラム再生に必要な干渉縞３を書き込む電磁波照射手段４と、前記物質に書き込まれた干渉縞３に読出し光５を照射してホログラム再生像６を形成する読出し光照射手段と、を備えたホログラム再生装置において、前記物質はハロゲン化アルカリもしくはハロゲン化アルカリ土類からなることを特徴とする。読出し光照射手段としては、通常、レーザ７およびそれが発するレーザ光を拡大して表示面３上に照射する拡大レンズ９が用いられる。前記電磁波は、例えばＸ線または電子線である。電磁波照射手段４としては、例えば電子線を照射する電子銃を用いることができる。また、必要に応じて、表示面に書き込まれた干渉縞を消去する消去手段８を設けてもよい。
また、本発明のホログラム再生装置は、ハロゲン化アルカリもしくはハロゲン化アルカリ土類からなり表示面を提供する物質を用意し、この物質にホログラム再生に必要な干渉縞を書き込み、前記物質に書き込まれた干渉縞に読出し光を照射してホログラム再生を行なうことを特徴とする。
【手続補正６】
【補正対象書類名】明細書
【補正対象項目名】００１６
【補正方法】変更
【補正の内容】
【００１６】
この構成において、図２に示すように、表示面１上に電磁波照射手段４により電磁波２を照射して干渉縞を励起させ、図３に示すように、励起された干渉縞３で読出し光５を回折・干渉させてホログラム再生像６を形成し、干渉縞３を消去手段８によるレーザ光の照射などにより基底状態に戻し、再度干渉縞の表示、ホログラムの再生を繰り返すことにより、ホログラムの連続再生が行なわれる。
【手続補正７】
【補正対象書類名】明細書
【補正対象項目名】００１７
【補正方法】変更
【補正の内容】
【００１７】
【発明の実施の形態】
前記消去手段としては、光、電磁波、または熱を作用させて干渉縞を消去するものを用いることができる。読出し光照射手段としてＲ、Ｇ、Ｂの３色の波長の読出し光を照射するものを用い、電磁波照射手段として３色の読出し光のそれぞれに対応した分光吸収の変化および／あるいは干渉縞ピッチによる干渉縞を書き込むものを用い、これにより、３原色のホログラム画像の同時再生を行なうようにすることもできる。表示面の電磁波照射側の表面には導電性処理が施される。
【手続補正８】
【補正対象書類名】明細書
【補正対象項目名】００１８
【補正方法】変更
【補正の内容】
【００１８】
読出し光の照射が表示面の電磁波照射側から行なわれる場合と、表示面の電磁波照射側とは反対側から行なわれる場合とがある。
【手続補正９】
【補正対象書類名】明細書
【補正対象項目名】００６３
【補正方法】変更
【補正の内容】
【００６３】
【発明の効果】
以上説明したように本発明によれば、表示面をハロゲン化アルカリもしくはハロゲン化アルカリ土類すなわち色中心を有する物質を用いて構成するようにしたため、電磁波により可視領域の光学特性が可逆的に変化するとともに変化後の特性が比較的安定で寿命が長い表示面によりホログラムを連続再生することができる。すなわち、このような表示面上に電磁波で干渉縞を励起させ、干渉縞でレーザ光を回折・干渉させてホログラムを再生し、干渉縞をレーザ光の照射などにより基底状態に戻し、再度干渉縞の表示、ホログラムの再生を繰り返すことにより、ホログラムの連続再生を行なうことができる。その際、色中心を有する物質は、着色原理から明らかなように、高感度・高分解能であるため、干渉縞を高速で表示・消去するとともに、表示される干渉縞からは光学ノイズの少ない高Ｓ／Ｎの干渉による高画質・高コントラストのホログラム像を得ることができる。
【手続補正１０】
【補正対象書類名】明細書
【補正対象項目名】符号の説明
【補正方法】変更
【補正の内容】
【符号の説明】  １：表示面、２：電磁波、３：干渉縞、４：電磁波照射手段、５：読出し光、６：ホログラム再生像、７：レーザ、８：消去手段、９：拡大レンズ。